(57)【要約】      （修正有）【課題】新郎や新婦に祝いの気持ちを充分に伝えることのできる祝い状および祝い状セットを提供する。【解決手段】新郎と新婦に対する祝いの言葉を記載するメッセージ欄２と、包装されて貼付された加工用真珠３と、加工後の真珠製品を載せた製品欄５と、加工用真珠３の加工を注文する注文書欄６と、を設けて祝い状１を構成する。また、メッセージ欄２に隣接して加工用真珠３を現出させ、注文書欄６と同一紙面に包装された加工用真珠３を貼付する。また、祝い状１に、加工用真珠３と注文書欄６を同封して所定の場所に送付するために、所定の場所の住所および名称を記載した封筒を添付して祝い状セットを構成する。【選択図】図４
0003125829.tif 000002
【実用新案登録請求の範囲】
【請求項１】
結婚式場に送付する祝い状であって、少なくとも、新郎と新婦に対する祝いの言葉を記載するメッセージ欄（２）と、包装されて貼付された加工用真珠（３）と、加工後の真珠製品を載せた製品欄（５）と、前記加工用真珠の加工を注文する注文書欄（６）と、を設けたことを特徴とする祝い状。
【請求項２】
結婚式場に送付する一つ折りまたは複数折りの祝い状であって、少なくとも、新郎と新婦に対する祝いの言葉を記載するメッセージ欄（２）と、包装されて貼付された加工用真珠（３）と、加工後の真珠製品を載せた製品欄（５）と、前記加工真珠の加工を注文する注文書欄（６）と、を設け、前記メッセージ欄に隣接して加工用真珠を現出させ、前記注文書欄と同一紙面に、包装された加工用真珠を貼付したことを特徴とする祝い状。
【請求項３】
請求項１または２に記載の祝い状に、加工用真珠（３）と注文書欄（６）を同封して所定の場所に送付するために、前記所定の場所の住所および名称を記載した封筒（２１）を添付してなることを特徴とする祝い状セット。
【考案の詳細な説明】
【技術分野】
【０００１】
本考案は、結婚式場に送付する祝い状および祝い状セットに関するものである。
【背景技術】
【０００２】
これまで、友人や知人などの結婚を祝うために、結婚式場に祝電を送る手法が多く採られてきた。この祝電には、新郎と新婦の幸せを祝う内容のメッセージを載せている。
【考案の開示】
【考案が解決しようとする課題】
【０００３】
しかし、従来の祝電は単にメッセージを載せるのみなので形式的であり、よって、祝電を送った友人や知人などの気持ちが充分に伝わり切らず、また、祝電を受け取った新郎や新婦も大きな喜びを感じ難いものであった。
【０００４】
本考案はこうした問題に鑑み創案されたもので、新郎や新婦に祝いの気持ちを充分に伝えることのできる祝い状および祝い状セットを提供することを課題とする。
【課題を解決するための手段】
【０００５】
図１乃至図７を参照して説明する。請求項１に記載の祝い状１は、結婚式場に送付するものであって、少なくとも、新郎と新婦に対する祝いの言葉を記載するメッセージ欄２と、包装されて貼付された加工用真珠３と、加工後の真珠製品を載せた製品欄５と、前記加工用真珠３の加工を注文する注文書欄６と、を設けたことを特徴とする。
【０００６】
請求項２に記載の祝い状１は、結婚式場に送付する一つ折りまたは複数折りのものであって、少なくとも、新郎と新婦に対する祝いの言葉を記載するメッセージ欄２と、包装されて貼付された加工用真珠３と、加工後の真珠製品を載せた製品欄５と、前記加工用真珠３の加工を注文する注文書欄６と、を設け、前記メッセージ欄２に隣接して加工用真珠３を現出させ、前記注文書欄６と同一紙面に包装された加工用真珠３を貼付したことを特徴とする。
【０００７】
請求項３に記載の祝い状セット２０は、請求項１または２に記載の祝い状１に、加工用真珠３と注文書欄６を同封して所定の場所に送付するために、前記所定の場所の住所および名称を記載した封筒２１を添付してなることを特徴とする。
【考案の効果】
【０００８】
請求項１に記載の祝い状１は、少なくとも、新郎と新婦に対する祝いの言葉を記載するメッセージ欄２と、包装されて貼付された加工用真珠３と、加工後の真珠製品を載せた製品欄５と、注文書欄６と、を設けているので、新郎および新婦に祝いの気持ちを充分に伝えることができる。
【０００９】
すなわち、メッセージ欄２に、新郎および新郎に対する祝いの気持ちを言葉で表現することによって、その気持ちを伝えることができる。また、加工用真珠３を貼付することによって、品物により、祝いの気持ちを伝えることができる。この真珠は、純粋無垢という宝石言葉を持ち、その気品あふれる優雅な輝きは花嫁の宝石にふさわしく、結婚の祝い品として最適である。
【００１０】
なお、祝い状１には加工用真珠３を加工した後の製品を載せた製品欄５を設けているので、これらの製品を参考にして、注文書欄６に所定事項を記入して加工用真珠３の加工を注文し、当該加工用真珠３をより輝きを増したネックレスなどの真珠製品とすることができる。
【００１１】
請求項２に記載の祝い状１は、請求項１に記載の考案と同様に、メッセージ欄２に記載する言葉と、加工用真珠３といった品物によって、新郎と新婦に祝いの気持ちを充分に伝えることができる。
【００１２】
また、メッセージ欄２に隣接して加工用真珠３を現出させているので、メッセージ欄２の言葉と、美しく輝く加工用真珠３を、新郎と新婦は同時に目にすることができるので、祝いの気持ちをさらに強く伝えることができる。
【００１３】
さらに、注文書欄６と同一紙面に包装された加工用真珠３を貼付しているので、注文書欄６に必要事項を記載した後、加工用真珠３を取り外すことなく、その部分を加工用真珠３を貼付した部分と共に切り取って、所定の場所に送ることができる。従って、作業が容易である。
【００１４】
請求項３に記載の祝い状セット２０は、加工用真珠３と注文書欄６を同封して所定の場所に送付するために、所定の場所の住所および名称を記載した封筒２１を添付しているので、注文書欄６に所定事項を記載し、加工用真珠３と共に当該封筒２１に入れて投函するのみで、所望の真珠製品を容易に得ることができる。すなわち、新たに封筒を準備したり、その封筒に宛先を記入する等の手間が必要ないので、手続作業が容易である。
【考案を実施するための最良の形態】
【００１５】
本考案に係る祝い状１の実施形態を、図１乃至図６に示す。この祝い状１は、結婚式場に送付するもので三つ折りに形成したものである。そして、新郎と新婦に対する祝いの言葉を記載するメッセージ欄２と、透明の包装紙４に包装され貼付された加工用真珠３と、加工後の真珠製品を載せた製品欄５と、注文書欄６とを有する。
【００１６】
さらに、おもて表紙７とうら表紙８には祝いの言葉を印刷し、製品欄５と同一紙面にはハート状の切欠き８を形成し、当該製品欄５の上方には注文方法を記載した注文要項欄１０を設けている。メッセージ欄２の下位には、宝石言葉などの真珠に関する説明欄１１を設けている。こうした構成とすることによって、図６に示すように、メッセージ欄２に隣接して、切欠き８を通して加工用真珠３を現出させている。
【００１７】
この祝い状１は、メッセージ欄２に、新郎および新郎に対する祝いの気持ちを言葉で表現することができるので、その気持ちを伝えることができる。また、加工用真珠３を貼付しているので、品物によっても、祝いの気持ちを伝えることができる。
【００１８】
なお、祝い状１には加工用真珠３を加工した後の製品を載せた製品欄５を設けているので、新郎と新婦はこれらの製品を参考にして、注文書欄６に記入し、当該加工用真珠３をより輝きを増したネックレスなどの真珠製品とすることができる。
【００１９】
また、本実施形態では、メッセージ欄２の隣に加工用真珠３を現出さているので、新郎と新婦は、メッセージ欄２の言葉と、美しく輝く加工用真珠３を同時に目にすることになる。従って、新郎新婦に祝いの気持ちをさらに強く伝えることができる。
【００２０】
さらに、本実施形態では、注文書欄６と同じ紙面に、包装された加工用真珠３を貼付している。また、その紙面の上端に切取り用のミシン目１２を形成している。従って、注文書欄６に必要事項を記載した後、手でミシン目１２に沿って切り取り、加工用真珠３を取り外すことなく、その紙面を加工用真珠３と共に所定の場所に送ることができる。従って、作業がきわめて容易である。
【００２１】
本考案に係る祝い状セット２０の実施形態を、図７に示す。これは、上記した祝い状１に、加工用真珠３と注文書欄６を同封して所定の場所に送付するために、その所定の場所の住所および名称を記載した封筒２１を添付し、透明の包装袋２２に収納したものである。
【００２２】
これにより、新郎や新婦は、注文書欄６に所定事項を記載し、加工用真珠３と共に当該封筒２１に入れて投函するのみで良く、新たな封筒を準備したり、宛先を記入するなどの作業を必要としないので、所望の真珠製品を容易に得ることができる。
【００２３】
なお、本考案に係る祝い状１および祝い状セット２０は、次のようにして使用することができる。まず、新郎新婦の結婚の通知を受けた友人や知人等が、モバイルネットやインターネットによって祝い状１を結婚式場に送付するための申し込みを行う（申込み手続（Ａ））。なお、結婚の通知は、モバイルネットやインターネットで行うことができる。
【００２４】
申込み手続Ａが完了した後、所定の支払いを行う（支払い手続（Ｂ））。これに基づき、本考案に係る祝い状セット２０が、結婚式場に送付され、新郎新婦に手渡される（送付手続（Ｃ））。
【００２５】
新郎新婦は、祝い状１の注文書欄６に所定の事項を記載した後、それを加工用真珠３と共に封筒２１に入れて、投函する（注文手続（Ｄ））。投函後、所定の期間内に加工用真珠３を加工した製品が新郎新婦に配送される（配送手続（Ｅ））。なお、加工代金は、製品と引き替えに支払う。こうした簡単な手続によって加工用真珠３が、イヤリングやネックレスなどの製品となり、新郎新婦に祝いの気持ちと共に送り届けられる。
【図面の簡単な説明】
【００２６】
【図１】本考案の実施形態に係る祝い袋を示す正面図である。
【図２】図１に示す祝い袋の背面図である。
【図３】図１に示す祝い袋の右側面図である。
【図４】図１に示す祝い袋を開いた状態を示す正面図である。
【図５】図１に示す祝い袋を開いた状態を示す背面図である。
【図６】図１に示す祝い袋において、メッセージ欄と同一紙面に加工用真珠を現出させた状態を示す図である。
【図７】本考案の実施形態に係る祝い袋セットを示す正面図である。
【図８】本考案に係る祝い状および祝い状セットの使用態様を示すチャートである。
【符号の説明】
【００２７】
１        祝い袋
２        メッセージ欄
３        加工用真珠
４        包装紙
５        製品欄
６        注文書欄
７        おもて表紙
８        うら表紙
９        切欠き
１０      注文要項欄
１１      説明欄
１２      ミシン目
２０      祝い状セット
２１      封筒
２２      包装袋
【図１】
0003125829.tif 000003
【図２】
0003125829.tif 000004
【図３】
0003125829.tif 000005
【図４】
0003125829.tif 000006
【図５】
0003125829.tif 000007
【図６】
0003125829.tif 000008
【図７】
0003125829.tif 000009
【図８】
0003125829.tif 000010